(57)【要約】【課題】  この発明は、開いた状態で左右シートが１８０°開き、美観が優れると共に製造コストも安いアルバムの製造方法を提供すること、また、ロール紙を２つ折りして連続して厚みのあるシートを製造する、コストの安いシートの製造方法を提供することを目的とする。【解決手段】  本発明のアルバムの製造方法は、折れ線上に複数のアルバム・シート端面の突出口を有する保護紙を２つ折りにし、該２つ折りにした保護紙にシートの上記端面が上記保護紙の突出口から突出するようにアルバム・シートを挟み込み、該保護紙にシートを挟んだものとシート単体の組み合わせを複数枚を組み合わせて、上記突出口側を上記シート端面と保護紙を一体にして該複数枚のシートの組み合わせの背中を無線綴りにより接着してアルバム本体を形成する。また、本発明のアルバムの製造方法は、ロール紙を繰り出し、該ロール紙の中心線に折り線を入れると共に２つ折に誘導し，該２つ折のロール紙を接着して適宜サイズに裁断することによりアルバム・シートを形成する。【選択図】図３
2005212414.tif 000002
【特許請求の範囲】
【請求項１】
折れ線上にアルバム・シート端面の突出口を有する保護紙を２つ折りにし、該２つ折りにした保護紙にシートの上記端面が上記保護紙の突出口から突出するようにアルバム・シートを挟み込み、該保護紙にシートを挟んだものとシート単体の組み合わせを複数枚組み合わせて、上記突出口側の該複数枚のシートの組み合わせの背中を、上記シート端面と保護紙を一体にして無線綴りにより接着してアルバム本体を形成することを特徴とするアルバムの製造方法。
【請求項２】
前記アルバム・シートが両枕を有するものであることを特徴とする前記請求項１記載のアルバムの製造方法。
【請求項３】
前記アルバム・シートがロール紙を２つ折りにして厚くしたものであることを特徴とする前記請求項１または２記載のアルバムの製造方法。
【請求項４】
ロール紙を繰り出し、該ロール紙の中心線に折り線を入れると共に２つ折に誘導し，該２つ折のロール紙を接着して適宜サイズに裁断することによりアルバム・シートを形成することを特徴とするアルバム・シートの製造方法。
【請求項５】
前記２つ折に誘導する時，両辺を裁断し、該裁断部分を裁断後のロール紙の側辺に沿うように誘導して貼り付け、その後２つ折のロール紙を接着して適宜サイズに裁断することにより表裏に枕部分を有するアルバム・シートを形成することを特徴とする前記請求項４記載のアルバムの製造方法。
【発明の詳細な説明】
【技術分野】
【０００１】
この発明は、写真等を貼る時は糊、粘着テープ及びコーナー等を用いるアルバム用としての一般シート（フリ台紙シートやポケット・シート等ではないシート）の改良された製造方法に関する。また、アルバム・シートを連続的に製造する方法、特に両枕シートを連続的に製造する方法に関する。
【背景技術】
【０００２】
従来、糊，粘着テープ及びコーナー等を用いるアルバム用としての一般シートは、貼った写真面が重なり合うため、写真面等の保護を目的に保護紙（グラシング・ペーパー、トレーシング・ペーパー、フィルム等）がシート間に設けられている。
【０００３】
従来の上記アルバムの製造方法は、以下のとおりである。
図５に従来の製造方法におけるアルバム・シート（台紙）の構造を示す。厚紙のシート２２は１側面に枕となる部分２３を折り曲げて図６に示す１枚のシートを作る。なお、上記枕部分２４は、後述するようにアルバムとした時の写真の厚みを吸収するための枕となる。該枕２４がない場合、各シートに写真を貼っていくと、写真の厚みによりアルバム・シート全体が膨らんでしまう欠点がある。該シートそれぞれには、図７に示すように上記枕２４と反対側にのりしろ２７において保護紙２６が貼り付けられる。
【０００４】
上記シートは複数枚重ねて、図８に示すように該シートの端面２５で無線綴りがなされて一体化され、アルバムが形成される。
しかし、上記従来のアルバムは、図９に示されるように上記のりしろ２７（図８）の接着剤の後３０が残り、アルバムを開いた時の美観が悪く、また、上記保護紙接着のための工程が必要なので手間が掛かり、コストが高くなる欠点がある。さらに、上記保護紙はシートののりしろ部分に直接糊付けされているので、保護紙の該糊付けされたシート側（図９の３２）は１８０°開くことができず、アルバムを開く時や写真を貼るときに非常に不便であり、見栄えも悪く商品価値が低いという欠点がある。また、アルバムを開いたとき保護紙は糊付けした方のシート３１に張り付き、さらに枕２４のあるシート面３３は写真厚みを吸収するが、保護紙を貼り付けたシート面３１は枕部分がなくて写真厚みが吸収できない。このように、いずれにしても上記従来のアルバムは、開いた時左右の均衡が保たれておらず、見栄えが悪く、写真貼付も不便である欠点がある。
【０００５】
また、上記アルバム・シートは従来一枚、一枚作られていた。一枚毎のシート製造方法は、機械も高く、製造効率が悪い欠点がある。シート紙を厚紙一枚で製造する場合、厚紙のコストが高く、また、特にシート紙として黒シートを用いる場合、両面を染色（もしくは塗布）する必要があるが、両面染色する場合、両面共染色に耐える素材である必要があり、この面でも材料コストが増大する欠点がある。
【０００６】
さらに、図５において６１，６２は単シートの状態でカットすることができるが、図６の６３，６４の辺の仕上げカットは図８の如く無線綴りを行った後、プレスで押さえ込んでカッターで切り揃える必要がある。しかし、図８の断面図にみられる如く、上辺６５と下辺６６では枕の厚めだけ複数枚シートの厚みが異なる。従って、上記仕上げカットを行う時、例えば６６（図６の６４）側のカットを行おうとすると、６６近辺でプレスを行っても６５の近辺は隙間が空いて十分プレスされていないため、カット時にシートが逃げてしまってカット面がギザギザになってしまう欠点がある。枕が片面の場合は、粗カット後仕上げカットをする２回仕上げで何とか見栄えを保てるが、枕２４が両面にある両枕のシートの場合は、この２回仕上げも無理で、事実上従来の一枚毎のシート製造方法では両枕の仕上げができない欠点がある。
【０００７】
また、後述する一枚の保護紙に穴を空けて、該保護紙に挟み込んで一体化して無線綴りでアルバム・シートを作る本発明の方法において、個々のシートは両枕の単葉のシートを作らなければならないが、上記従来の一枚一枚シートを製造する方法では両枕の単葉のシートの製造を自動化することが困難である。
【特許文献１】特開平８−１５６４４５号公報
【発明の開示】
【発明が解決しようとする課題】
【０００８】
この発明は、上記従来のアルバムの製造方法の欠点である、コストアップ及び美観が悪い欠点を解決し、開いた状態で左右シートが１８０°開き、美観が優れると共に製造コストも安いアルバムの製造方法を提供することを目的とする。
【０００９】
また、従来の一枚毎のシートの製造方法の欠点を改善し、ロール紙を２つ折りして連続して厚みのあるシートを製造する、コストの安いシートの製造方法を提供することを目的とする。
【課題を解決するための手段】
【００１０】
これを解決するため、本発明のアルバムの製造方法は、折れ線上にアルバム・シート端面の突出口を有する保護紙を２つ折りにし、該２つ折りにした保護紙にシートの上記端面が上記保護紙の突出口から突出するようにアルバム・シートを挟み込み、該保護紙にシートを挟んだものとシート単体の組み合わせを複数枚組み合わせて、上記突出口側の該複数枚のシートの組み合わせの背中を、上記シート端面と保護紙を一体にして無線綴りにより接着してアルバム本体を形成することを特徴とする。
【００１１】
さらに、前記アルバム・シートが両枕を有するものであることを特徴とする。
また、前記アルバム・シートがロール紙を２つ折りにして厚くしたものであることを特徴とする。
【００１２】
また、本発明のアルバム・シートの製造方法は、ロール紙を繰り出し、該ロール紙の中心線に折り線を入れると共に２つ折に誘導し，該２つ折のロール紙を接着して適宜サイズに裁断することによりアルバム・シートを形成することを特徴とする。
【００１３】
さらに、前記２つ折に誘導する時，両辺を裁断し、該裁断部分を裁断後のロール紙の側辺に沿うように誘導して貼り付け、その後２つ折のロール紙を接着して適宜サイズに裁断することにより表裏に枕部分を有するアルバム・シートを形成することを特徴とする。
【発明の効果】
【００１４】
このように本発明のアルバムの製造方法は、製造工程が省けて、製造コストが安くなる、また、製本後の美観に優れ、開いた状態で左右シートが１８０°開き、写真等が貼りやすいという顕著な効果を奏する。
【００１５】
また、この発明のシートの製造方法を用いれば、安いロール紙で連続してシートを製造でき、とくに両枕のシートを連続して製造できるという顕著な効果を奏する。
【発明を実施するための最良の形態】
【００１６】
以下、この発明のアルバムについて図を用いて説明する。
図１〜図３は、この発明のアルバムシートの製造方法を示す。図１は、本発明のアルバム・シートの製造方法を示す。該シートは厚紙１を図１（ａ）の矢印Ａ−Ａの中心線で折り曲げられ、重ねあわされて糊付けされる。図１（ａ）に示されるように、矢印Ａ−Ａの中心線上に複数の直線状の穴４があけられており、該穴は図１（ｂ）に示されるように折り曲げ後に複数の窪み３を形成し，該窪み３は結果的に複数の突起４を形成する。図１のものは２枚に折り曲げ重ねてシートを形成しているが、１枚の厚紙でシートを形成し、その端面に複数の溝３および突起４を設けたものでもよい。
【００１７】
なお、上記穴は幅１〜２mm、長さ約６cmである。上記シートは、例えば、幅約２０cm、高さ約２９cmなので、上記突起４の長さは約１cmである。シートの大きさは上記寸法に限らず任意の大きさのものが用いられ、上記突起の大きさは後述する無線綴りの強度に応じて任意に設計される。
【００１８】
図２は、シート間に挿入される保護紙（グラシング・ペーパー、トレーシング・ペーパー、フィルム等）の形状を示す。保護紙５は、前記シート２に対して縦方向は同サイズ、横方向は倍サイズである。保護紙の矢印Ｂ−Ｂの中央線上に前記シートの突起用の穴３とは逆に突起用の穴の空いていない部分４に対応する箇所に複数の穴６がビク型等で抜き加工される。該抜き加工のピッチは無線加工で接着力に影響がない間隔、幅はシートの無線加工部の厚みとほぼ同じ深さにする。該保護紙は中央線Ｂ−Ｂで折り曲げられて、図３に示すように上記保護紙の穴６に前記シートの突起４が差し込まれるようにして該保護紙の間に挿入される。この組み合わせがこの発明の保護紙付アルバムの基本構造となる。
【００１９】
図４にこの発明のアルバムの完成された横断面図を示す。上記保護紙１５でシート１６を巻き込んだ基本構造のもの１７とシートのみのもの１８が交互に丁合され、図４に示す如く重ねられた端面を無線綴り１１で治具幅分の厚み分（枚数）をセットして製本する。その後、必要枚数（例えば、１０枚）だけシートを切り離し、アルバム・シートの基本部分とする。なお、無線綴りとは，シート複数枚の一端面を接着剤で貼着（背だけの接着）し、複数枚のシートを閉じ合わせるようにすることをいう。
【００２０】
上記無線綴りにより、上記基本構造のものはシート端面の突出部４が保護紙の穴６から突出した状態（図３）で接着剤で一体化される。これにより、アルバムはシートを次々開くことにより見開き２頁を連続して鑑賞することができる。また、アルバムの外側１２，１３は、必要に応じて厚紙の表紙，裏表紙が取り付けられる。上記無線綴りは、上記表紙、裏紙取り付け後全複葉が一体となる形で行われる。無線加工後、必要枚数に応じて冊分の背カットを行う。
【００２１】
次に、このようなアルバム・シートに用いられるシート自体の製造方法について図１０，図１１により説明する。
図１０は、シートを作る基本製造工程を示す。シートの材料となるロール紙４３は４１に示すように大きなロールに巻き付けられてセットされる。ロール紙は順次ローラー４２，４４等に導かれて２つ折りにされる。図１０において、４７はセンターラインを示すが、該センターラインを中心に角度を付けたローラ４４に導かれて上記ローラ紙は下側に２つ折りされ、密着したローラ４５において予め糊付けされていた２つ折り面が接着される。該糊付けはローラ４２の前段階で自動的になされている。２つ折りされ接着されたローラ紙の断面が４８に示される。断面４８となったローラ紙は適宜所定の幅で裁断され、アルバム用シートとなる。
【００２２】
本発明においては、さらに上記ローラ紙から連続的に表裏に枕を設ける工程も提案される。図１１において、前記ローラ紙５１は２つ折りされる前にカッター５２，５３で両サイドが枕幅でカットされる。カットされた枕部分６１，６２はローラ５４、５５で主ローラ紙５１のやや上部に誘導され、主ローラ紙の両サイド５６、５７に沿って貼り付けられる。その後、図１０と同様に２つ折りされ、密着ローラでプレスされて接着される。このようにすれば、表裏に枕を有する「両枕シート」が連続的に製造することができる。なお、２つ折りにされる前のローラ紙の断面図を６３に示す。図において、６４，６５が上記枕となる部分である。
【産業上の利用可能性】
【００２３】
本発明によれば、見栄えがよく、利便性もよく、かつ製造コストの安いアルバム・シート及び該シートを用いた一般用アルバムが製造でき、その商品価値は高い。
【図面の簡単な説明】
【００２４】
【図１】この発明のアルバム・シートの構造及び製造方法を示す図である。
【図２】この発明のアルバムの保護紙の構造を示す図である。
【図３】この発明のアルバム・シートの基本構造の斜視図である。
【図４】この発明のアルバムの完成された横断面図である。
【図５】従来のアルバム台紙の製造方法を示す図（その１）である。
【図６】従来のアルバム台紙の製造方法を示す図（その２）である。
【図７】従来のアルバム・シートの基本構造の横断面図である。
【図８】従来のアルバムの横断面図を示す図である。
【図９】従来のアルバムの組み立て斜視図である。
【図１０】本発明のアルバム・シートの製造方法を示す図である。
【図１１】図１０の製造方法において、両枕のシートを製造する方法を示す図である。
【符号の説明】
【００２５】
１      アルバム・シート
２      アルバム・シート
３      穴
４      突起
５      保護紙
６      穴
１１      接着剤
２２      アルバム・シート
２４      枕
２５      接着剤
２６      保護紙
２７      のりしろ
４２      ロール
４３      ロール紙
４４，４５      ローラ
５２，５３      カッター
【図１】
2005212414.tif 000003
【図２】
2005212414.tif 000004
【図３】
2005212414.tif 000005
【図４】
2005212414.tif 000006
【図５】
2005212414.tif 000007
【図６】
2005212414.tif 000008
【図７】
2005212414.tif 000009
【図８】
2005212414.tif 000010
【図９】
2005212414.tif 000011
【図１０】
2005212414.tif 000012
【図１１】
2005212414.tif 000013